(57)【要約】【課題】人体に電流、磁気・磁力線、及び振動波を与えることによって、疾病に対する免疫力を効果的に強化しうる、低廉な免疫力強化治療器を提供すること。【解決手段】この免疫力強化治療器は、乾電池２、乾電池２からの電圧を変える変圧器４、通電時間を設定するタイマー５、変圧器４で調整された電気が流される電磁コイル６と結晶発振器８、及び電磁コイル６と結晶発振器８を出た電流を人体に供給するための接触器１２を有している。この免疫力強化治療器によれば、接触器１２を通じて供給される電流に加え、電磁コイル６に生ずる磁界、磁場から発生する磁力線、結晶発振器８から発生される特有の周波数をもつ振動波が同時に人体に作用し、それらの重畳効果によって血行を促進して人体における新陳代謝を活発化させ、細胞の再生、老廃物の速やかな除去が行われ免疫力を強化する。【選択図】            図１
2004305294.tif 000002
【特許請求の範囲】
【請求項１】
電源から供給される電圧を調整する変圧器、供給される電気を設定された時間だけ通電するタイマー、前記変圧器で調整された電気が流される電磁コイルと結晶発振器、及び前記電磁コイルと結晶発振器を出た電流を人体に供給するための接触器を有することを特徴とする免疫力強化治療器。
【請求項２】
前記結晶発振器がクォーツ又はブラックトルマリンであることを特徴とする請求項１に記載の免疫力強化治療器。
【請求項３】
前記接触器がクリップ又は電極シートで構成されていることを特徴とする請求項１に記載の免疫力強化治療器。
【請求項４】
前記接触器が取替え可能に着脱自在な構成となっていることを特徴とする請求項３に記載の免疫力強化治療器。
【発明の詳細な説明】
【０００１】
【発明の属する技術分野】
本発明は、電流、磁気（磁力線）及び振動波を与えて人間の免疫力を強化するための免疫力強化治療器に関する。
【０００２】
【従来の技術】
近年は健康ブームで種々の健康器具が出回っている。しかしながら、効能書きどおりの効果が得られないものが多いばかりでなく、使用方法が複雑だったり、機構が繊細で壊れやすいものであったりするものも多く、購入はしたが使用されないまま仕舞い込まれて終うものが多かった。
【０００３】
また、従来の健康器具は、低周波振動を与えることによって筋肉に収縮運動を起こさせるものに見られるように使用感が良くないものも多く、また、電流、磁気、振動付与などを個別に応用したものとなっていて、その効果が機器購入者の期待に沿わないことも多く、長く使用されて効果を発揮できるものが少ないのが実情であった。
また、従来提供されている機器は、高価なものが多く、十分に普及していないものもある。
【０００４】
【発明が解決しようとする課題】
本発明は、人体に電流、磁気（磁力線）、及び振動波を与えることによって、血行を促進して細胞の新陳代謝を活発にし、細胞の再生能力を高めて疾病に対する免疫力を効果的に強化しうる、低廉な免疫力強化治療器を提供することを課題としている。
【０００５】
【課題を解決するための手段】
本発明は、前記課題を解決するため、電源から供給される電圧を調整する変圧器、供給される電気を設定された時間だけ通電するタイマー、前記変圧器で調整された電気が流される電磁コイルと結晶発振器、及び前記電磁コイルと結晶発振器を出た電流を人体に供給するための接触器を有する免疫力強化治療器を提供する。
【０００６】
本発明の免疫力強化治療器によれば、接触器を通じて供給される電流によって人体内の血行を促進することに加え、その電流が流される電磁コイルに生ずる磁界、磁場から発生する磁力線と、その電流が流されるクォーツなどの結晶発振器から発生される特有の周波数をもつ振動波とが、同時に人体に作用し、それらの重畳効果によって血行を促進して人体における新陳代謝を活発化させ、これによって細胞の再生、老廃物の速やかな除去が行われる。
【０００７】
また、前記したように、電流と、磁界、磁場から発生する磁力線と、振動波との作用により血行が促進されることによって、赤血球、白血球が速やかに流通し、その機能を最大限に発揮することができ、病原菌、ウィルス、その他、各種の有害細菌などに対して抵抗し殺菌する。更に、血行の促進によって新鮮な酸素を細胞に供給し、細胞の再生能力を高め、老廃物の速やかな除去を促進し、疾病に対する免疫力を強化することができる。
【０００８】
特に、人体で酸素を一番必要とする脳細胞も促進された血流によって活発化し体内の神経活動を迅速に行わせ、神経機能が昂進することによって新陳代謝が円滑に行われるので、細胞の再生が活発になる。
【０００９】
本発明の免疫力強化治療器に用いる結晶発振器としては、クォーツやブラックトルマリンを使用して、それぞれ特有の周波数をもつ振動波を発生させるようにするのがよい。
【００１０】
また、本発明の免疫力強化治療器に用いる接触器としては、耳たぶなどに取り付けが簡単なクリップや、人体の所要箇所に貼付が容易なシート状の電極（電極シート）であってよく、そのシート状の電極の貼付面に粘着性を与えると、人体の所要箇所に貼付が容易となって好ましい。
【００１１】
更にまた、本発明の免疫力強化治療器に用いる接触器としては、使用によって劣化したり汚れた場合に取替えが出来るように、着脱自在な構成とするのが好ましい。
【００１２】
【発明の実施の形態】
以下、本発明による免疫力強化治療器を図示した実施の形態に基づいて具体的に説明する。
図１において、１は、ケーシングを示し、ケーシング１内には電源としての乾電池２を保持する電池ホルダー３が取り付けられている。４は変圧器で、乾電池２と連絡され、乾電池２からの出力を調整するよう電圧を調整するもので、アナログ又はデジタルの目盛りを有しており、アナログ目盛りのときは、指針を所定の電圧に合わせることにより、また、デジタル目盛りのときは、プッシュして所定電圧値に設定することにより、電圧が設定できるようにしている。
変圧器４は、その変更電圧を任意に設定できる構造になっていると、本免疫力強化治療器による治療を施す人体部所に応じて電圧を選択できて好ましい。
【００１３】
５はタイマーで、変圧器４に連絡され、変圧器４から流れて来る電流を設定された時間だけ流すよう導通時間を設定できる機能を有している。このタイマー５もアナログ又はデジタルの目盛りを有している。タイマー５がアナログタイマーのときは、つまみを廻して起動し、またデジタルタイマーのときは、デジタル表示をプッシュして起動するが、タイマー５が起動されるとスイッチＯＮの表示ランプが点灯する構成となっている。
６は電磁コイルで、電磁コイル６はタイマー５につながれた２本のリード線に取り付けられている。電磁コイル６内には磁石７が挿通されていて、磁界、磁場が作られ、磁力線を発生する。
【００１４】
８はクォーツ、ブラックトルマリン等で構成された結晶発振器で、電磁コイル６を出たリード線につながれていて、その結晶に特有の振動波を発生する。結晶発振器８を出たコード９にはクリップ１０又は電極シート１１等の接触器１２が取り付けられる。１３はコネクタで、接触器１２を交換可能に接続できるようにしている。
クリップ１０は、耳タブ等、身体の所望箇所に挟んで取り付けることができるように構成されており、電極シート１１は片面を粘着性にする等によって身体の所定箇所に容易に貼付けうる構成としたものである。
【００１５】
なおケーシング１は上下に２つ割りにしたり、或いは蓋部分を設ける等により、内部に設置された乾電池２の交換や、内部の機器の点検、故障時の修理ができるようにする。
【００１６】
図示した免疫力強化治療器は、以上の構成を有しており、乾電池２を設置して、治療すべき患部に応じて変圧器４の電圧を設定する。コード９の先のコネクタ１３には、治療すべき患部に応じてクリップ１０又は電極シート１１等の接触器１２をつなぎ、それを治療すべき患部、例えば両耳タブにそれぞれ取り付ける。そして、治療時間をタイマー５で設定し患部に通電する。
【００１７】
クリップ１０又は電極シート１１からなる接触器１２を通じて患部に供給される電流によって患部の血行を促進することに加え、電磁コイル６に生ずる磁界、磁場から発生する磁力線と、クォーツ又はブラックトルマリンなどの結晶発振器８から発生される特有の周波数をもつ振動波とが、同時に患部に作用し、それらの重畳効果によって血行を促進して患部における新陳代謝を活発化させ、これによって細胞の再生、老廃物の速やかな除去が行われる。
【００１８】
また、前記したように、電流と、磁界、磁場から発生する磁力線と、振動波との作用により血行が促進されることによって、赤血球、白血球が速やかに流通し、その機能を最大限に発揮することができ、病原菌、ウィルス、その他、各種の有害細菌などに対して抵抗し殺菌する。更に、血行の促進によって新鮮な酸素を供給し、細胞の再生能力を高め、老廃物の速やかな除去を促進し、疾病に対する免疫力を強化することができる。
【００１９】
特に、本免疫力強化治療器による治療を頭部に対しておこなうことによって、脳細胞も血流によって活発化し体内の神経活動を迅速に行わせることができるとともに、神経機能が昂進することによって新陳代謝が円滑に行われるので、細胞の再生が活発になる。
【００２０】
以上、本発明を図示した実施の形態に基づき具体的に説明したが、本発明がこれらの実施の形態に限定されるものではなく、本発明の範囲内で種々の変更を加えてもよいことはいうまでもない。
例えば、図示した免疫力強化治療器では、電源として乾電池を使用するものを説明したが、乾電池以外の電池であってもよいし、自動車におけるシガレットライターに差し込む端子を併せ具えた構造にして、外部に電源を求めることができるようにしてもよい。
【００２１】
また、図示した免疫力強化治療器では、変圧器４、タイマー５、コイル６、及び結晶発振器８をこの順に接続しているが、接続順はこれに限らず、適宜選択してよい。
【００２２】
また、図示した免疫力強化治療器では、結晶発振器の例としてクォーツ、ブラックトルマリンを用いた場合を説明したが、結晶発振器としてはこれに限らず、上記以外の結晶を用いた結晶発振器を適宜採用してよい。
【００２３】
更にまた、図示した免疫力強化治療器では、電源スイッチや電源スイッチがＯＮになっていることを示す表示ランプをタイマー５に設けていて、他に設けていないが、これらは適宜の箇所に設置してよい。
【００２４】
【発明の効果】
以上説明したように、本発明は、電源から供給される電圧を調整する変圧器、供給される電気を設定された時間だけ通電するタイマー、前記変圧器で調整された電気が流される電磁コイルと結晶発振器、及び前記電磁コイルと結晶発振器を出た電流を人体に供給するための接触器を有する免疫力強化治療器を提供する。
【００２５】
本発明の免疫力強化治療器によれば、接触器を通じて供給される電流によって人体内の血行を促進するとともに、電磁コイルから発生する磁力線と、結晶発振器から発生される特有の周波数をもつ振動波とが、同時に人体に作用し、それらの重畳効果によって血行を促進して人体における新陳代謝を活発化させ、細胞の再生、老廃物の速やかな除去が行われる。
【００２６】
また、前記したように、電流、磁力線、及び振動波の作用により血行が促進されることによって、赤血球、白血球が速やかに流通し、その機能を最大限に発揮して病原菌、ウィルス等の各種の有害細菌を殺菌する。更に、血行の促進によって新鮮な酸素を細胞に供給し、細胞の再生能力を高め、老廃物の速やかな除去を促進し、疾病に対する免疫力を強化することができる。
【００２７】
本発明の免疫力強化治療器は、変圧器、タイマー、電磁コイルと結晶発振器、接触器等の汎用の機器であって、可動部分を持たない故障の少ない機器で構成されており、低廉であって、しかも故障が少なく寿命長く使用することができる。
【００２８】
本発明による免疫力強化治療器の使用実例として、体が弱く毎年風邪をひいていた人に対して、単１乾電池を用いた本発明による免疫力強化治療器により、１日に２回、毎回１０分間、治療を行った結果、免疫力の強化が顕著に現れて免疫力が強化され、その人は外出時にマスクも使用せずに人混みに毎日出たのにも拘わらず全く風邪をひくこともなかった。
【００２９】
以上のとおり、本発明の免疫力強化治療器によれば、人体に電流、磁気（磁力線）、及び振動波を与えることによって、血行を促進して細胞の新陳代謝を活発にし、細胞の再生能力を高めて疾病に対する免疫力を効果的に強化することができる。
【図面の簡単な説明】
【図１】本発明の実施の一形態による免疫力強化治療器の構造を示す縦断面図。
【符号の説明】
１      ケーシング
２      乾電池
３      電池ホルダー
４      変圧器
５      タイマー
６      電磁コイル
７      磁石
８      発振器
９      コード
１０    クリップ
１１    電極シート
１２    接触器
１３    コネクタ
【図１】
2004305294.tif 000003